(57)【要約】【課題】眼鏡の部品の中で一番交換頻度の高い鼻当てパッドを、環境に優しい素材にすること、及び装着者の体にも優しいものを提供する事。【解決手段】鼻当てパッドに廃棄する際に自然に分解し、当接する人間の鼻肌部分にも優しい天然の貝、琥珀、又は動物の角又は牙を採用した。そしてその留め方の構造として、一枚の貝、琥珀、又は動物の角又は牙から二枚に分割した、鼻当て部分裏面又は保持用部分前面に留め金用凹部１５を設け、留め金２０ａを配置し、そして、前記留め金用凹部端部に平行なスリット１６を貫通する様に設け、該スリットから前記留め金延設端部２１ａを保持用部分後面に突出する様にして、支持脚端部を支持するように構成した。【選択図】図２
2005099664.tif 000002
【特許請求の範囲】
【請求項１】
眼鏡用の鼻当てパッドであって、天然の貝より一枚のパッドとして形成された事を特徴とする、鼻当てパッド。
【請求項２】
眼鏡用の鼻当てパッドであって、天然の貝より一枚の所定のパッド形状に形成され、該パッド表面は鼻部に当接し、該パッド裏面には留め金嵌合用凹部が形成され、該留め金嵌合用凹部に留め金がその延設端部が後方に突出するようして埋設されたことを特徴とする、鼻当てパッド。
【請求項３】
眼鏡用の鼻当てパッドであって、天然の貝より形成され、鼻当て部分と後方に貼合わせられる保持用部分の少なくとも二枚に分割されて構成された事を特徴とする、鼻当てパッド。
【請求項４】
上記鼻当てパッドにおいて、天然の貝の代わりに琥珀又は動物の角又は牙を使用してパッドに形成したことを特徴とする、請求項１から３項の何れか１項に記載の鼻当てパッド。
【請求項５】
前記鼻当て部分裏面又は保持用部分前面に留め金用凹部が設けられ、その中に留め金が配置され、そして、前記留め金用凹部端部に、スリットを平行に貫通する様に設け、該スリットから少なくとも二箇所以上設けられた留め金延設端部を保持用部分後面に突出する様にして、パッド支持脚端部を支持する様に構成された事を特徴とする、請求項３記載の鼻当てパッド。
【請求項６】
前記各留め金延設端部同士が重なり合わない様に互い違いに配置され前記パッド支持脚端部を回動可能に支持するように構成された事を特徴とする、請求項２又は５何れか１項に記載の鼻当てパッド。
【発明の詳細な説明】
【技術分野】
【０００１】  本発明は天然の素材である貝、琥珀、又は動物の角・牙を使用した眼鏡用の鼻当てパッドに関する。
【背景技術】
【０００２】  従来の眼鏡用鼻当てパッドとしては合成樹脂製のものが殆どであり、天然の素材を利用したものとしては竹とか木を利用したものが僅かに使用された事があったがいずれも高級感を抱かせるまでのものではなかった。【０００３】  又、一方眼鏡用の鼻当てパッドの留め方の構造としては、合成樹脂製の眼鏡のクリングス本体の中に外部に突出し内側に湾曲した二個の締付金具を有する金具本体を埋め込み、取付け金具の凹部に嵌合するようにされた物が提案されている（例えば、実用新案文献１参照。）。これは成型による埋め込みだと思われる（それ以上の詳しい説明の記載がないため図を参考にした推測であるが。）。
【特許文献１】実公昭２９−１０４６７号公報
【発明の開示】
【発明が解決しようとする課題】
【０００４】  解決しようとする問題点は、鼻当てパッドは眼鏡部品の中で一番交換する頻度の高い部品であり、そのほとんどが合成樹脂製で出来ており、そして、その合成樹脂製部品の廃棄処理が昨今環境問題になってきたと言うことである。又、竹とか木を利用したものは、その問題点はクリアしているが、他に鼻の脂等が滲み込んですぐに汚れるという問題点がある。【０００５】  又、本発明の天然の素材である貝、琥珀、又は動物の角又は牙を鼻当てパッドに使用するためには上記実公昭２９−１０４６７号公報に記載されたような成型による埋め込みによる金具の取付けは、貝等をパッドに使用した場合は勿論出来ない。
【課題を解決するための手段】
【０００６】  本発明は、鼻当てパッドに天然の素材であり、且つ人の脂が簡単に滲み込まない自然の貝、琥珀、又は動物の角又は牙を使用した。そしてその留め方の構造として、パッド表面は鼻部に当接し、該パッド裏面には留め金用嵌合用凹部が形成され、前記留め金がその延設端部が後方に突出するようして埋設された構造と、鼻当て部分裏面又は保持用部分前面に留め金用凹部を設け、前記留め金用凹部端部に平行なスリットを貫通する様に設け、該スリットから前記留め金延設端部を保持用部分後面に突出する様な構造とを採用し、支持脚端部を支持するように構成した。以上により上記課題の解決を図った。
【発明の効果】
【０００７】  本発明の天然の貝、琥珀、又は動物の角又は牙よりなる鼻当てパッドは、廃棄する際にも安全で自然に分解し、又、当接する鼻肌部分にも優しく、汚れの付着も少ない。又、自然の美しい光沢を提示し、装飾面においても優れた効果を現す。そして、留め方の構造も貝、琥珀、又は動物の角または牙を表裏に貼り合わせその間に止め金具を配し、スリットから前記留め金延設端部を保持用部分後面に突出する様にして、支持脚端部を支持するような構造にしたので強度も十分に保つ事が可能となった。又、高級感を醸し出す結果となった。
【発明を実施するための最良の形態】
【０００８】  天然の貝、琥珀、又は動物の角又は牙より形成され、鼻当て部分と後方に貼合わせられる保持用部分とから構成され、そして、前記鼻当て部分裏面又は保持用部分前面に留め金用凹部が設けられ、前記留め金用凹部端部に、スリットを平行に貫通する様に設け、該スリットから前記留め金延設端部を保持用部分後面に突出する様にして、パッド支持脚端部を支持する様に形成され、そして又、前記各留め金延設端部同士が重なり合わない様に互い違いに配置され前記パッド支持脚端部を回動可能に支持するように構成した鼻当てパッドを実現した。
【実施例１】
【０００９】  図１は、本発明の実施例の天然の貝、琥珀、又は動物の角又は牙より形成された鼻当てパッド１０の全体を裏面から見た斜視図である。該パッド表面１０ａは鼻部分に当接する部分で、裏面１０ｂには留め金２０を嵌合する為の凹部１０ｃが設けられ、前記留め金２０がその延設端部２１を後方に突出するようにして嵌合され、その後七宝等で埋設固定される。この場合の天然の貝は自然界に存在する貝であって、例えば、チョウ貝類、アワビ貝、タカセ貝、サザエ貝、メキシコ貝等があるがそれらに限定されるものではない。琥珀は天然のものは勿論、小片材料を加熱圧縮成形した再生琥珀（アンブロイド）でも良い。又、動物の角は水牛等で、牙は象牙等でよい。【００１０】  図２は、本発明の他の好適な実施例の分解斜視図であって、天然の貝、琥珀、又は動物の角又は牙より形成され、鼻当て部分１１と後方に貼合わせられる保持用部分１２の２枚に分割される様に構成され、前記鼻当て部分裏面１３又は保持用部分前面１４に留め金用凹部１５が設けられ、前記保持用部分凹部端部に平行にスリット１６を貫通する様に設け、該スリットから前記留め金延設端部２１ａを保持用部分後面に突出できる様にして固定する状態を表している。前記スリット１６はその溝幅が０．２ｍｍから１．０ｍｍの間が好ましく、又、加工方法としてはレーザーによる加工が好ましい。【００１１】  更にその状態から組み立てられた状態が図３であり、保持用部分１２のスリット１６に留め金用延設端部２１を裏面に突出するようにして留め金用凹部１５に留め金２０ａを嵌め込み、鼻当て部分１１と留め金２０ａと保持用部分１２とを接着し、突出した留め金延設端部２１ａにより支持脚端部３０の凹部３１を抱持するようにしてある。【００１２】  更に好ましくは、図４及び図５の様に各留め金延設端部同士（２１ｂ、２１ｃ、２１ｄ、）が重なり合わない様に互い違いに配置されパッド支持脚端部３１ａを回動可能に抱持し支持するようにされても良い。この場合、前記パッド支持脚端部には留め金延設端部を受ける溝が設けられても良い。【００１３】  又、図６のように、鼻当てパッドが一山ブリッジ３２の裏面に設けられるパッド４０でも勿論良いわけであるし、この場合は嵌め込み又は接着剤により固着しても良い。【００１４】  自然の貝、琥珀、又は動物の角又は牙を使用した鼻当てパッドを使用することにより、見た目も綺麗で高級感を呈し、廃棄する際にも安全なパッドを提供でき、パッド支持脚への取付け取り外しも簡単に出来る事となった。
【図面の簡単な説明】
【００１５】
【図１】本発明の実施例の貝、琥珀、角製のパッドの斜視図である。
【図２】本発明の他の実施例の貝、琥珀、角製パッドの裏面から見た分解斜視図である。
【図３】図２からの組み上がった状態を裏面から見た斜視図である。
【図４】本発明の他の実施例の裏面から見た分解斜視図である。
【図５】図４から組み上がった状態を裏面から見た斜視図である。
【図６】他の応用例である一山ブリッジ裏面に設けられた場合の平面図
【符号の説明】
１０  パッド本体
１１  鼻当て部分
１２  保持用部分
１３  鼻当て部分裏面
１４  保持用部分前面
１５  留め金用凹部
１６  スリット
２０  留め金
２１、２１ａ、２１ｂ、２１ｃ、２１ｄ  留め金延設端部
３０  支持足
３１、３１ａ  支持足端部
３２、一山ブリッジ
４０、一山裏パッド
【図１】
2005099664.tif 000003
【図２】
2005099664.tif 000004
【図３】
2005099664.tif 000005
【図４】
2005099664.tif 000006
【図５】
2005099664.tif 000007
【図６】
2005099664.tif 000008